(57)【要約】【課題】  バルーンの表示のみを容易に交換することができ、しかも安価な投光機を提供することを目的とする。【解決手段】  バルーン２と、該バルーン２に内蔵された発光体41と、該バルーン２を膨らませる空気を供給するファン42とからなる照明装置３と、該照明装置３を先端に連結した伸縮自在の支柱４と、前記照明装置３に給電するための発電機５とを備えた投光機１において、表示体12が前記バルーン２表面に着脱手段を介して設置されているとを特徴とする。【選択図】図１
0003102101.tif 000002
【実用新案登録請求の範囲】
【請求項１】
バルーンと、該バルーンに内蔵された発光体と、該バルーンを膨らませる空気を供給する駆動部とからなる照明装置と、
該照明装置を先端に連結した伸縮自在の支柱と、前記照明装置に給電するための電源装置とを備えた投光機において、
表示体が前記バルーン表面に着脱手段を介して設置されていることを特徴とする投光機。
【請求項２】
前記着脱手段をベルベットファスナとしたことを特徴とする請求項１記載の投光機。
【請求項３】
前記着脱手段をスライドファスナとしたことを特徴とする請求項１記載の投光機。
【請求項４】
前記着脱手段をホックとしたことを特徴とする請求項１記載の投光機。
【請求項５】
前記着脱手段が前記バルーンおよび前記表示体に縫着されていることを特徴とする請求項１乃至４いずれか１項記載の投光機。
【請求項６】
前記表示体が色付き素材からなることを特徴とする請求項１乃至５いずれか１項記載の投光機。
【請求項７】
バルーンと、該バルーンに内蔵された発光体と、該バルーンを膨らませる空気を供給する駆動部とからなる照明装置と、
該照明装置を先端に連結した伸縮自在の支柱と、前記照明装置に給電するための発電機とを備えた投光機において、
遮光体が前記バルーン表面に着脱手段を介して設置されていることを特徴とする投光機。
【請求項８】
バルーンと、該バルーンに内蔵された発光体と、該バルーンを膨らませる空気を供給する駆動部と、前記発光体と駆動部を支持する枠体からなる照明装置と、
該照明装置を先端に連結した伸縮自在の支柱と、前記照明装置に給電するための発電機とを備えた投光機において、
前記バルーンが上下方向に開口している円筒状の胴部シートと、前記胴部シートの上下面を縫着によって塞ぐ円形の上面シートと下面シートによって構成され、
表示体が前記バルーンの胴部表面に着脱手段を介して設置され、
前記枠体は、その上端板をバルーン上面部の中心部に着脱自在に固定され、かつ、下端板をバルーン下面部の中心部にバルーン外側から着脱できるスライドファスナを介して前記支柱と連結されていることを特徴とする投光機。
【考案の詳細な説明】
【技術分野】
【０００１】
本考案は、道路工事など屋外で使用される照明装置である投光機であって、特に、発光体を内蔵したバルーンを空気で膨らませた照明装置を使用する投光機に関するものである。
【背景技術】
【０００２】
従来、この種の道路工事やスポーツ施設などの夜間照明として使用される投光機として、発電機５を搭載する台車に伸縮支柱を立設し、該伸縮支柱の上端に、電球の光を反射板により前方を向けて投光する照明装置を装備したものであって、バルーンと該バルーンを膨らませる給気手段と、バルーンに内蔵された電球とを備えていて、バルーンの胴部に文字、図形などを印刷、貼り付け、着色などの手段で表示したものが開示されている（例えば、特許文献１）。
【特許文献１】特開２００３−３６７０９
【考案の開示】
【考案が解決しようとする課題】
【０００３】
しかしながら、上記文献においても、バルーン胴部における表示は、バルーンを構成するシート材に直接印刷したり、カッティングシートを貼り付けたりするなどしていたため、表示を変更する際には、バルーン自体を交換する必要があり、交換作業が煩雑であるだけでなく、表示の種類に応じた複数のバルーンを用意しておかなければならないという問題があった。したがって、バルーン自体を交換することなく、表示のみを変更することができれば、便利であるだけでなく、経済的でもある。
【０００４】
そこで、本考案は上記した問題点に鑑みて、バルーンの表示のみを容易に交換することができ、しかも安価な投光機を提供することを目的とする。
【課題を解決するための手段】
【０００５】
上記目的を達成するために、本考案に係る投光機は、バルーンと、該バルーンに内蔵された発光体と、該バルーンを膨らませる空気を供給する駆動部とからなる照明装置と、該照明装置を先端に連結した伸縮自在の支柱と、前記照明装置に給電するための電力供給機とを備えた投光機において、表示体が前記バルーン表面に着脱手段を介して設置されていることを特徴とする。
【０００６】
ここで、前記着脱手段をベルベットファスナとしてもよい。
【０００７】
また、前記着脱手段をスライドファスナとしてもよい。
【０００８】
また、前記着脱手段をホックとしてもよい。
【０００９】
また、前記着脱手段が前記バルーンおよび前記表示体に縫着されていてもよい。
【００１０】
また、前記表示体が色付き素材からなるものであってもよい。
【００１１】
また、バルーンと、該バルーンに内蔵された発光体と、該バルーンを膨らませる空気を供給する駆動部とからなる照明装置と、該照明装置を先端に連結した伸縮自在の支柱と、前記照明装置に給電するための発電機とを備えた投光機において、遮光体が前記バルーン表面に着脱手段を介して設置されていることを特徴とする。
【００１２】
また、バルーンと、該バルーンに内蔵された発光体と、該バルーンを膨らませる空気を供給する駆動部と、前記発光体と駆動部を支持する枠体からなる照明装置と、該照明装置を先端に連結した伸縮自在の支柱と、前記照明装置に給電するための発電機とを備えた投光機において、前記バルーンが上下方向に開口している円筒状の胴部シートと、前記胴部シートの上下面を縫着によって塞ぐ円形の上面シートと下面シートによって構成され、表示体が前記バルーンの胴部表面に着脱手段を介して設置され、前記枠体は、その上端板をバルーン上面部の中心部に着脱自在に固定され、かつ、下端板をバルーン下面部の中心部にバルーン外側から着脱できるスライドファスナを介して前記支柱と連結されていることを特徴とする。
【考案の効果】
【００１３】
本考案の請求項１記載の投光機によれば、表示体をバルーン表面に着脱自在に設置することとしたので、用途に応じた表示体を適宜付け替えることによって、目的に応じて使用することができ、複数のバルーンを用意する必要がないので経済的である。
【００１４】
また、請求項２に記載の投光機によれば、ベルベットファスナによって表示体をバルーンに着脱するので、表示体を容易に取り付け、取り外しできる。
【００１５】
また、請求項３に記載の投光機によれば、スライドファスナによって表示体をバルーンに着脱するので、表示体をバルーンにより強固に設置することができる。
【００１６】
また、請求項４に記載の投光機によれば、ホックによって表示体をバルーンに着脱するので、表示体の取り付け、取り外しを容易にできる。
【００１７】
また、請求項５に記載の投光機によれば、着脱手段がバルーンおよび表示体に縫着されているので、屋外の使用においても着脱手段の剥れを防止し、耐久性を向上できる。
【００１８】
また、請求項６に記載の投光機によれば、表示体を色付き素材により構成したので、視認性を向上することができ、より周囲に注意を喚起できる。
【００１９】
また、請求項７に記載の投光機によれば、遮光体を着脱手段によってバルーンに設置したので、バルーンの投光範囲を適宜選択して設定できるため、民家への不要な投光を遮光することによって、近所迷惑を防止できる。
【００２０】
また、請求項８に記載の投光機によれば、表示体の取り付け、取り外しを容易にできるだけでなく、バルーンの上下面において容易に枠体からバルーンを取り外すことも可能になる。
【考案を実施するための最良の形態】
【００２１】
以下図面を参照して、本考案の各実施形態に共通する投光機の構成についてその概略を説明する。図１は、本考案に係る投光機１の概略の構成を示す斜視図である。図２は、バルーン２の構成を模式的に示す分解斜視図である。図３は、枠体の構成を模式的に示す正面図である。
【００２２】
投光機１は、バルーン２と、該バルーン２に内蔵された発光体である電球41と、該バルーン２を膨らませる空気を供給する駆動部であるファン42とからなる照明装置３と、該照明装置３を先端に連結した伸縮自在の支柱４と、前記照明装置３に給電するための電源装置である発電機５とを備えて構成されている。前記発電機５は、移動を容易にするため台車６に据付られている。尚、電源装置は発電機に限られず、例えばバッテリや家庭用電源であっても良いことはもちろんである。
【００２３】
前記伸縮自在の支柱４は、発電機５を移動するための台車６の上面に、中空の第１の支柱4aが垂直に立設され、前記第１の支柱4a内に外径を逐次小さくした第２の支柱4bを前記第１の支柱4aに対し摺動可能に設け、必要に応じ、第３の支柱4c、および図示しない第４、第５の支柱を順次同様に設け、図示しない昇降手段によって照明装置３の高さを選択的に設定できるようにｎ本からなる支柱４によって形成されている。
【００２４】
前記台車６は、基台７の前後左右に車輪８が回動自在に軸支されており、車輪付き発電機５を係脱可能に据付できるように構成されている。尚、発電機５は車輪を有しないものであってもよく、また、台車６に着脱可能又は固定的に据付けられてもよいことはいうまでもない。
【００２５】
ｎ本の支柱からなる前記伸縮自在の支柱４の上端を構成するｎ番目の支柱、図面においては第３の支柱4cの上端には照明装置３が接続支柱９を介して着脱自在に連結されている。前記接続支柱９は、その上端で照明装置３の下端中央部に連結しており、下端において前記ｎ番目の支柱の上端と連結部材10を介して着脱自在に連結されている。これにより、支柱４に対し照明装置３を着脱自在に設置することが可能となる。
【００２６】
前記連結部材10は照明装置３に給電するためのケーブル11のコネクタを差込み接続する図示しないコンセントを備えている。また、前記コネクタはケーブル11を介して発電機５に接続されており、前記発電機５から供給される電力を照明装置３に内蔵されている発光体である電球41と、ファン42に供給するように構成されている。
【００２７】
前記昇降手段は、必要数の滑車とワイヤーとウィンチとを備える昇降手段や、ガスダンパーを第１の支柱4aに設置し該ガスダンパーの反撥力によって、それぞれの支柱の昇降操作を容易に行なえるようにしたものを用いてもよい。
【００２８】
前記照明装置は、バルーン２と、該バルーン２に内蔵された電球41と、該バルーン２を膨らませる空気を供給するファン42とから構成されている。前記バルーン２は、投光性、耐久性および強度を有する合成樹脂のシート材、例えばナイロン66などからなり、上下方向に開口している円筒状の胴部シート21と、前記胴部シート21の上下面を縫着によって塞ぐ円形の上面シート22と下面シート22によって構成され、略太鼓形に形成されている。尚、バルーン２は、図示しないが、円錐台形や逆円錐台形のものなどであってもよいことはもちろんである。この場合にも、胴部シート21を円錐台形に適合する形状に形成し、円錐台形の上面および下面を構成するシートをそれぞれ縫着することによって形成される。
【００２９】
前記バルーン２に内蔵される電球41とファン42は枠体30に設置される。次に、この枠体30について説明する。枠体30はバルーン２内の中心部に電球41を支持するとともに、該電球41の周囲を囲んでバルーン２と電球41の接触を防ぐ役割を果たすもので、上端板31をバルーン２上面部24の中心部に、下端板32をバルーン２下面部25の中心部にそれぞれ着脱自在に固定するとともに、それら上下両板31,32間にわたって複数本の中空の縦杆33を立設して設け、バルーン２の内部中心位置に配置されている。すなわち、下端板32の下面側中心部には前記支柱４の上端部が連結されており、縦杆33の上端に枠体30が設置され、この枠体30にバルーン２、電球41、ファン42等が装備されている。
【００３０】
上端板31の下方には上部支持板38が設けられ、この上部支持板38の下面に電球41を装着するためのソケット39とソケットカバー40が設置されている。さらに前記上部支持板38の下方にはソケット39に装着されて下向きに保持された電球41の先端部36aを支持する電球支持体34が設けられている。
【００３１】
前記電球支持体34は、前記縦杆33に着脱可能に設置された支持板35と、該支持板35の中心部に設けられた受け部36とにより構成され、該受け部36は電球先端部41aが遊嵌するように形成された凹部36aによって電球先端部41aを支持する構成となっている。
【００３２】
前記ファン42は、バルーン２を所定の形状に膨らませるためにバルーン２内に給気するもので、バルーン２内に収納状に設置されるファンモータからなる。下端板32の上方には下部支持板37が設けられ、前記ファンは座部材43に載置され、下部支持板37と下端板32との間に狭持されている。また下端板32と下部支持板37には、ファン42に空気を供給するための図示しない貫通孔が形成されており、下端板32と下部支持板37の間にはファン42と図示しない配線とを保護するための円柱状の保護枠44が設けられている。
【００３３】
前記枠体30の上端板31には、バルーン２上面部24の中心部が、バルーン２外側から係合手段によって上端板31に着脱自在に係合され、また枠体30の下端板32には、バルーン２下面部25の中心部が、バルーン２外側から開閉できる連結手段26、例えばスライドファスナによって連結されている。
【００３４】
次に、本考案に係る表示体の好適な実施例について説明する。
【００３５】
図４は、表示体12を面ファスナであるベルベットファスナ45,46によって設置したバルーン２を示す正面図である。バルーン２は、上記の通り胴部シート21と上下両面シート22,23により構成されており、前記胴部シート21表面に着脱手段である雌型のベルベットファスナ45が表示体12の外周に縫着されている。一方、表示体12の表面には、例えば「工事中」や「注意」などの表示が印刷や貼り付けなどの手段によって形成され、前記表示体12の裏面にはその外周上に雄型のベルベットファスナ46が縫着されている。前記雄型ベルベットファスナ46をバルーン２の胴部シート21表面に設けられた前記雌型ベルベットファスナ45に係着させることによって、バルーン２表面に表示体12を設置することができる。
【００３６】
こうすることによって、バルーン２表面に表示体12を着脱自在に設置することができるので、容易に表示を変更でき、用途に応じた表示体のみを用意しておけばよいため、経済的である。尚、ベルベットファスナ45,46の配置はバルーン２表面と表示体12裏面とで対応していればよく、より密着性を向上させるために、適宜配置を変更し、または増やすことができることはもちろんである。
【００３７】
前記表示体12はバルーン２と同様に、投光性、耐久性および強度を有する合成樹脂のシート材、例えばナイロン66などからなるもので構成される。この表示体12はバルーン２を構成するシートと同色シートからなるものでも、また、異なる色のシートからなるものであってもよい。表示体12をバルーンを構成するシートと異なる色によって構成することによって、表示体12をより際立たせることができるので、視認性を向上することができ、よりよく周囲に注意を喚起できる。さらに、表示体12を遮光性シートからなる遮光体にしてもよい。遮光体は、暗幕のような布や、ブラスチック製または金属の板などを用いることができる。このようにすることによって、バルーン２の投光範囲を適宜選択して設定できるため、民家への不要な投光を遮光することによって、近所迷惑になることを防止できる。
【００３８】
また、本考案の別の実施形態として、図５に示すバルーン２では、表示体12の外周にスライドファスナ51が縫着されており、バルーン２の胴部シート21表面にも対応する形状、図面においては横長矩形にスライドファスナ51が縫着されており、バルーン２側の一の端部にスライドファスナ51の開閉を行なうスライダ52が設置されている。表示体12をバルーン２に設置するには、表示体12のスライドファスナ51の端部をバルーン２に設置されたスライダ52に係留させ、スライダ52を表示体12とバルーン２に形成されたスライドファスナ51に沿ってスライドさせてファスナを係留し、表示体12をバルーン２表面に設置する。こうすることによって、スライダ52の操作によるファスナの開閉によって表示体12の取り付け、取り外しができるので、表示体12の交換が容易であるだけでなく、スライドファスナ51の係留によって表示体12を設置するため、表示体12をバルーン２により強固に設置することができる。
【００３９】
さらに、本考案の別の実施形態として、図６に示すバルーン２の胴部シート21表面には、雌型の複数個のホック61が縫着されており、表示体12の前記雌型のホック61に対応する位置に同数個の雄型のホック62が同様に縫着されている。この雄型のホック62を胴部シート21表面の雌型ホック61に装着することによって、表示体12をバルーン２に設置することができる。このようにすることで、表示体12の取り付け、取り外しをより容易にできる。
【００４０】
このように本実施例では請求項１に対応して、バルーン２と、該バルーン２に内蔵された発光体41と、該バルーン２を膨らませる空気を供給するファン42とからなる照明装置３と、該照明装置３を先端に連結した伸縮自在の支柱４と、前記照明装置３に給電するための発電機５とを備えた投光機１において、表示体12が前記バルーン２表面に着脱手段を介して設置されているから、用途に応じた表示体12を適宜付け替えることによって、目的に応じて使用することができ、複数のバルーン２を用意する必要がないので経済的である。
【００４１】
また、本実施例では請求項２に対応して、前記着脱手段をベルベットファスナ45,46としたから、表示体12を容易に取り付け、取り外しできる。
【００４２】
また、本実施例では請求項３に対応して、前記着脱手段をスライドファスナ51としたから、表示体12をバルーン２により強固に設置することができる。
【００４３】
また、本実施例では請求項４に対応して、前記着脱手段をホック61,62としたから、表示体12の取り付け、取り外しをより容易にできる。
【００４４】
また、本実施例では請求項５に対応して、前記着脱手段が前記バルーン２および前記表示体12に縫着されているから、屋外の使用においても着脱手段の剥れをを防止し、耐久性を向上できる。
【００４５】
また、本実施例では請求項６に対応して、前記表示体12が色付き素材からなるから、視認性を向上することができ、より周囲に注意を喚起できる。
【００４６】
また、本実施例では請求項７に対応して、バルーン２と、該バルーン２に内蔵された発光体41と、該バルーン２を膨らませる空気を供給するファン42とからなる照明装置３と、該照明装置３を先端に連結した伸縮自在の支柱４と、前記照明装置３に給電するための発電機５とを備えた投光機において、遮光体が前記バルーン２表面に着脱手段を介して着脱自在に設置されているから、バルーン２の投光範囲を適宜選択して設定できるため、民家への不要な投光を遮光することによって、近所迷惑になることを防止できる。
【００４７】
また、本実施例では請求項８に対応して、バルーン２と、該バルーン２に内蔵された発光体41と、該バルーン２を膨らませる空気を供給する駆動部42と、前記発光体41と駆動部42を支持する枠体30からなる照明装置３と、該照明装置３を先端に連結した伸縮自在の支柱４と、前記照明装置３に給電するための発電機５とを備えた投光機１において、前記バルーンが上下方向に開口している円筒状の胴部シート21と、前記胴部シート21の上下面を縫着によって塞ぐ円形の上面シート22と下面シート22によって構成され、表示体12が前記バルーン２の胴部表面に着脱手段を介して設置され、前記枠体30は、その上端板31をバルーン上面部24の中心部に着脱自在に固定され、かつ、下端板32をバルーン下面部25の中心部にバルーン２外側から着脱できるスライドファスナ26を介して前記支柱４と連結されているから、表示体の取り付け、取り外しを容易にできるだけでなく、バルーン２の上下面において容易に枠体30からバルーン２を取り外すことも可能になり、さらに、表示体12を設置する着脱手段をバルーン２と支柱４の接続手段26と同じスライドファスナにすれば、バルーン２の製造工程を簡略化でき、製造コストの低減を図ることができる。
【００４８】
本考案は、本実施形態に限定されるものではなく、本考案の要旨の範囲内で種々の変形実施が可能である。例えば、着脱手段の雄型と雌型を入れ替えてもよく、雄型をバルーン２に、メス型を表示体12に縫着してもよい。また、表示体はバルーン表面の複数箇所に設置されるようにしてもよい。
【図面の簡単な説明】
【００４９】
【図１】本考案の投光機の全体構成を模式的に示す斜視図である。
【図２】同上、バルーン２の構成を模式的に示す分解斜視図である。
【図３】同上、枠体30の構成を模式的に示す正面図である。
【図４】本考案に係る表示体12の設置状態を模式的に示す正面図である。
【図５】同上、別の実施形態を示す正面図である。
【図６】同上、さらに別の実施形態を示す正面図である。
【符号の説明】
【００５０】
１    投光機
２    バルーン
３    照明装置
４    支柱
５    発電機（電源装置）
12    表示体
21    胴部シート
22    上面シート
23    下面シート
24    上面部
25    下面部
26    スライドファスナ
30    枠体
31    上端板
32    下端板
41    電球（発光体）
42    ファン（駆動部）
45,46    ベルベットファスナ（着脱手段）
51    スライドファスナ（着脱手段）
61,62    ホック
【図１】
0003102101.tif 000003
【図２】
0003102101.tif 000004
【図３】
0003102101.tif 000005
【図４】
0003102101.tif 000006
【図５】
0003102101.tif 000007
【図６】
0003102101.tif 000008